【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
コンピュータ実装方法であって、
ユーザから、媒体コンテンツに関連づけられる所望される時間パラメータを受信することと、
前記所望される時間パラメータに適合し、かつ前記媒体コンテンツの予め決められた主題態様を保存する短編バージョンの媒体コンテンツを生成することであって、前記主題態様は、前記媒体コンテンツの所定の部分に関連づけられる、ことと、
前記媒体コンテンツに関連づけられる追加的な所望される時間パラメータを受信し、前記生成された短編バージョンの媒体コンテンツの全体長さを、その消費の間に、前記追加的な所望される時間パラメータに適合するように変更することと、
を含むコンピュータ実装方法。
【請求項２】
前記所望される時間パラメータは、長編バージョンの媒体コンテンツに関連づけられる第２の持続時間より短い第１の持続時間を含む、請求項１に記載のコンピュータ実装方法。
【請求項３】
前記媒体コンテンツは、前記媒体コンテンツの少なくとも１つのストーリーアークを画定するシーンおよびシーン部分のうちの少なくとも１つの始点および終点を示すメタデータで先にタグ付けされた媒体コンテンツファイルを含み、前記短編バージョンの媒体コンテンツを生成することは、前記短編バージョンの媒体コンテンツの時間カット定義を提供するために、前記シーンおよびシーン部分のうちの少なくとも１つを包含しかつ除去することを含む、請求項１に記載のコンピュータ実装方法。
【請求項４】
前記短編バージョンの媒体コンテンツを生成することは、前記短編バージョンの媒体コンテンツの前記時間カット定義を含む前記シーンおよびシーン部分のうちの少なくとも１つの始点および終点の再生リストを生成することを含む、請求項３に記載のコンピュータ実装方法。
【請求項５】
前記媒体コンテンツの１つまたは複数の態様に関連するユーザ選好およびユーザ分析データのうちの少なくとも一方を決定することをさらに含む、請求項１に記載のコンピュータ実装方法。
【請求項６】
前記ユーザ選好は、前記短編バージョンの媒体コンテンツを要求するユーザにとって興味のある媒体コンテンツコンポーネントを含む、請求項５に記載のコンピュータ実装方法。
【請求項７】
消費の間に追加的なユーザ選好および追加的なユーザ分析データのうちの少なくとも一方を受信することと、前記生成された短編バージョンの媒体コンテンツを、前記短編バージョンの媒体コンテンツの消費の間に、前記追加的なユーザ選好および前記追加的なユーザ分析データのうちの前記少なくとも一方に適合するように変更することをさらに含む、請求項５に記載のコンピュータ実装方法。
【請求項８】
前記媒体コンテンツに関連づけられる追加的な所望される時間パラメータは、前記第１の持続時間よりも長く、且つ、前記第２の持続時間よりも短い数値的な持続時間を備える、請求項２に記載のコンピュータ実装方法。
を受信することと、前記生成された短編バージョンの媒体コンテンツを、その消費の間に、前記追加的な所望される時間パラメータに適合するように変更することをさらに含む、請求項１に記載のコンピュータ実装方法。
【請求項９】
前記媒体コンテンツの少なくとも１つまたは複数の所定の主題態様は、前記媒体コンテンツ、および、前記媒体コンテンツに関連づけられる追加的な媒体コンテンツをスパンする、請求項１に記載のコンピュータ実装方法。
【請求項１０】
媒体上にコンピュータ実行可能プログラムコードを具現している非一時的コンピュータ読取り可能媒体であって、前記コンピュータ実行可能プログラムコードは、
ユーザが媒体コンテンツの消費用に希望するユーザ指定の制限時間を受信させる工程であって、前記ユーザ指定の制限時間は、前記媒体コンテンツの元の意図される持続時間より短い、工程と、
前記制限時間に適合しかつ前記媒体コンテンツの予め決められた主題態様を保存する代替バージョンの媒体コンテンツを自動的に生成させる工程であって、前記主題態様は、前記媒体コンテンツの所定の部分に関連づけられる、工程と、
前記媒体コンテンツに関連づけられる追加的なユーザ指定の制限時間を受信させ、前記自動的に生成された代替バージョンの媒体コンテンツの全体長さを、その消費の間に、前記追加的なユーザ指定の制限時間に適合するように変更させる工程と、
をプロセッサに実行させるように構成されている、非一時的コンピュータ読取り可能媒体。
【請求項１１】
前記媒体コンテンツは、前記媒体コンテンツの少なくとも１つの物語を画定するシーンおよびシーン部分のうちの少なくとも１つの始点および終点を示すメタデータで先にタグ付けされていて、前記媒体コンテンツを自動的に生成することは、前記代替バージョンの媒体コンテンツの時間カット定義を提供するために、前記シーンおよびシーン部分のうちの少なくとも１つを包含しかつ除去することを含む、請求項１０に記載の非一時的コンピュータ読取り可能媒体。
【請求項１２】
前記プロセッサに前記代替バージョンの媒体コンテンツを自動的に生成させるように構成される前記コンピュータ実行可能プログラムコードは、前記プロセッサにさらに、前記代替バージョンの媒体コンテンツの前記時間カット定義を含む前記シーンおよびシーン部分のうちの前記少なくとも１つの前記始点および終点の再生リストを生成させるように構成されるコンピュータコードを含む、請求項１１に記載の非一時的コンピュータ読取り可能媒体。
【請求項１３】
前記媒体コンテンツは、前記代替バージョンの媒体コンテンツが自動的に生成された時点で、前記少なくとも１つの物語が、長編バージョンの媒体コンテンツでは隠されたままであるが、前記代替バージョンの媒体コンテンツでは現れるように製作されるか編集される、請求項１１に記載の非一時的コンピュータ読取り可能媒体。
【請求項１４】
前記コンピュータ実行可能プログラムコードは、さらに、前記プロセッサに、消費の間にユーザ選好およびユーザ分析データのうちの少なくとも一方を受信させ、かつ前記自動的に生成された代替バージョンの媒体コンテンツを、前記代替バージョンの媒体コンテンツの消費の間に、前記ユーザ選好および前記ユーザ分析データのうちの前記少なくとも一方に適合するように変更させる、請求項１０に記載の非一時的コンピュータ読取り可能媒体。
【請求項１５】
前記追加的なユーザ指定の制限時間は、前記ユーザ指定の制限時間よりも持続時間において長く、且つ、前記媒体コンテンツの元の意図される持続時間よりも短い数値的な制限時間である、請求項１０に記載の非一時的コンピュータ読取り可能媒体。
【請求項１６】
装置であって、
プロセッサと、
前記プロセッサへ機能的に接続されるメモリユニットと、を備え、
前記メモリユニットは、コンピュータコードを含み、前記コンピュータコードは、
ユーザが媒体コンテンツの消費用に希望するユーザ指定の制限時間を検索させる工程であって、前記ユーザ指定の制限時間は、前記媒体コンテンツの元の意図される持続時間より短く、かつ前記ユーザ指定の制限時間は、ユーザにより、リモート・ユーザ・デバイス上でホストされるユーザインタフェースを介して指示される、工程と、
前記ユーザ指定の制限時間に適合しかつ前記媒体コンテンツに表現される物語に関連づけられる予め決められた主題態様を保存する代替バージョンの媒体コンテンツを自動的に生成させる工程と、
追加的なユーザ指定の制限時間を受信させ、前記自動的に生成される代替バージョンの媒体コンテンツを、その消費の間に、前記追加的なユーザ指定の制限時間に適合するように変更させる工程と、
をプロセッサに実行させるように構成される、装置。
【請求項１７】
前記ユーザインタフェースは、前記代替バージョンの媒体コンテンツを最適化するための複数の選択肢を含み、前記複数の選択肢には、前記ユーザ指定の制限時間を前記追加的なユーザ指定の制限時間に動的に更新するための選択肢、前記物語の１つまたは複数のコンポーネントに関連づけられるユーザ選好を指定するための選択肢、前記代替バージョンの媒体コンテンツのオフラインで視聴可能なインスタンスを生成するための選択肢、前記自動的に生成される代替バージョンの媒体コンテンツを表示する再生リストを保存するための選択肢、前記自動的に生成される代替バージョンの媒体コンテンツを別のユーザと共有するための選択肢、のうちの少なくとも１つが含まれる、請求項１６に記載の装置。
【請求項１８】
前記媒体コンテンツは、前記媒体コンテンツの製作前または製作後の何れかで、前記媒体コンテンツに表現される前記物語に関連づけられる前記予め決められた主題態様を画定するシーンおよびシーン部分のうちの少なくとも１つの始点および終点を示すメタデータでタグ付けされる、請求項１６に記載の装置。
【請求項１９】
前記追加的なユーザ指定の制限時間は、前記ユーザ指定の制限時間よりも長く、且つ、前記媒体コンテンツの元の意図される持続時間よりも短い数値的な制限時間である、請求項１６に記載の装置。
【請求項２０】
前記プロセッサに前記代替バージョンの媒体コンテンツを自動的に生成させるように構成されるコンピュータコードを含む前記メモリユニットは、前記プロセッサに、前記代替バージョンの媒体コンテンツの時間カット定義を含む、シーンおよびシーン部分のうちの少なくとも１つの始点および終点の再生リストを生成させるように構成されるコンピュータコードを含む、請求項１６に記載の装置。